(57)【要約】【課題】弁機構が収容されるカートリッジが、水栓本体の収容部に収容される水栓において、カートリッジの水栓本体への固定を容易に行なえるようにする。【解決手段】湯水の流量，温度等を調節するための弁機構４と、該弁機構４が収容されるカートリッジ３と、該カートリッジ３が装着される収容部１１が形成された水栓本体２とを備えた水栓Ａにおいて、前記収容部１１の外周に係合孔１２を穿設し、該係合孔１２に係合具６を差し込むことで、前記カートリッジ３は収容部１１に固定されるようにした。【選択図】  図１
2004251050.tif 000002
【特許請求の範囲】
【請求項１】
湯水の流量，温度等を調節するための弁機構と、該弁機構が収容されるカートリッジと、該カートリッジが装着される収容部が形成された水栓本体とを備えた水栓において、前記収容部の外周に係合孔を穿設し、該係合孔に係合具を差し込むことで、前記カートリッジは収容部に固定されるようにしたことを特徴とする水栓におけるカートリッジの固定構造。
【請求項２】
前記水栓本体には、カートリッジと係合具の外周を覆うカバーを装着したことを特徴とする請求項１記載の水栓におけるカートリッジの固定構造。
【請求項３】
前記水栓本体は流し台や洗面台等のカウンターに固定されることを特徴とする請求項１又は２記載の水栓におけるカートリッジの固定構造。
【発明の詳細な説明】
【０００１】
【発明の属する技術分野】
本発明は、湯水の流量，温度等の調節が行なわれる水栓において、弁機構が収容されるカートリッジの水栓本体への固定構造に関する。
【０００２】
【従来の技術】
従来、流し台や洗面台で使用される水栓として、例えばレバーの操作で湯水の流量と温度の調節が行なわれるものが公知であるが、このような水栓は、セラミックスからなる固定板と可動板とを上下に重ね合わせた弁機構がレバーと連繋し、弁機構はカートリッジの内部に収容されている。このカートリッジは水栓本体の収容部に装着され、固定用のナットを、カートリッジの上部から、水栓本体の上部に形成された雄ねじ部に螺合させることで固定される。（例えば、特許文献１参照）
【０００３】
【特許文献１】
実開平５−７３０５８号公報
【０００４】
【発明が解決しようとする課題】
このようにカートリッジを水栓本体の収容部に装着し、ナットを水栓本体に螺合することでカートリッジを固定するものでは、ナットが緩むと漏水が発生するので、ナットを強固に螺合するための工具が必要となるうえ、工具によりナットを何度も回転させる必要があり、作業に手間がかかる。また、水栓本体が流し台や洗面台のカウンターに、該カウンターの下部から固定部材により固定された状態で、弁機構の点検や取替えを行なう場合に、カートリッジを水栓本体の収容部から取り出す必要があるが、ナットを水栓本体から外そうとすると、カウンターの上部でナットに加えた回転力により水栓本体が共回りしてしまう。したがって、カウンターの下部から再度固定部材を螺合する必要があり、施工性が悪く、その解決策が望まれていた。
【０００５】
この発明は、このような従来の技術に存在する問題点に着目したものであり、その目的は、弁機構が収容されるカートリッジが、水栓本体の収容部に収容される水栓において、カートリッジの水栓本体への固定を容易に行なえるようにすることである。
【０００６】
【課題を解決するための手段】
本発明は請求項１では、湯水の流量，温度等を調節するための弁機構と、該弁機構が収容されるカートリッジと、該カートリッジが装着される収容部が形成された水栓本体とを備えた水栓において、前記収容部の外周に係合孔を穿設し、該係合孔に係合具を差し込むことで、前記カートリッジは収容部に固定されるようにしたものである。
【０００７】
請求項２では、前記水栓本体には、カートリッジと係合具の外周を覆うカバーを装着したものである。
【０００８】
請求項３では、前記水栓本体は流し台や洗面台等のカウンターに固定されるものである。
【０００９】
【発明の実施の形態】
以下、本発明の実施の形態を図に基づいて詳細に説明する。
図１及び図２に示すように、洗面台や流し台等のカウンター１に取り付けられる水栓Ａは、本実施例ではシングルレバー式であり、略円筒状の水栓本体２と、該水栓本体２に固定され、湯水の流量及び温度が調節される弁機構４が収容されるカートリッジ３と、水栓本体２の外周面に外嵌され、弁機構４で調節された湯水が吐水される吐水管５と、カートリッジ３を水栓本体２に固定するための係合具６と、水栓本体２に結合されカートリッジ３の外周面全体を覆うカバー７とを備えている。
【００１０】
前記水栓本体２は略円筒状に形成され、下端には螺子軸８が固定されている。そして、水栓本体２をカウンター１に穿設された取付孔１ａの上部に配置した状態で、螺子軸８に対し下部から座金９を挿通し、固定部材１０を螺子軸８に螺着することで、水栓本体２と座金９とによりカウンター１を挟着し、水栓Ａはカウンター１に取り付けられるものである。また、水栓本体２の上部には前記カートリッジ３を装着するための収容部１１が円筒状に形成され、該収容部１１の外周面には円弧状の係合孔１２が一対、互いに向かい合うようにして穿設されている。この係合孔１２は収容部１１の外周面から内部の収容室１１ａに向けて貫通して穿設されており、前記係合具６が外周面から収容室１１ａに向けて差し込まれるようになっている。
【００１１】
前記カートリッジ３は上ケース１３と下ケース１４とを備え、合成樹脂製である上ケース１３と下ケース１４とを上下に着脱自在に結合すると、カートリッジ３は略円筒状となり、両ケース１３，１４の内部には弁機構４が収容される。カートリッジ３には水栓本体２から水と湯とが供給されるように水入口と湯入口（図示省略）とが形成されるが、この両入口はカートリッジの底面または側面の何れに形成してもよい。前記弁機構４はセラミックス製で略円盤型の固定板１５と、該固定板１５と同一素材からなる可動板１６とを上下に水密に重ね合わせて構成され、該可動板１６の上部にはアーム１７が結合されている。また、上ケース１３の上端には円盤型の筒部１３ａが一体に形成されており、該筒部１３ａは上ケース１３の外径より小径で、上ケース１３の上面で筒部１３ａとの間には段部１３ｂが形成されている。さらに、筒部１３ａの略中央には上下軸方向に軸孔１３ｃが穿設されており、前記アーム１７は軸孔１３ｃに挿通して筒部１３ａから上部に突出している。
【００１２】
前記吐水管５は、水栓本体２の外周面に回転自在に外嵌される円筒部１８と、該円筒部１８から上部傾斜方向に延設された吐水部１９とを備えており、該吐水部１９の先端には湯水を外部へ吐水するための吐水口２０を備えている。
【００１３】
前記弁機構４の可動板１６と結合したアーム１７は、他端にレバー２１が結合し、レバー２１を上下に操作することで、アーム１７を介して可動板１６は前後に移動し、吐水管５の吐水口２０から吐水される湯水の吐水と止水及び流量調節が行なわれ、レバー２１を左右へ操作することで、アーム１７を介して可動板１６は左右に回転し、湯水の温度が調節されるものである。
【００１４】
前記係合具６は弾力性を有する材質で、略コ字状に屈曲して形成され、基部２２の両端から各脚部２３，２３が突出して形成されており、両脚部２３，２３の間隔は、前記水栓本体２の収容部１１の直径より短く形成されているため、カートリッジ３が水栓本体２の収容部１１に装着された状態で、収容部１１の係合孔１２にこの係合具６を差し込めば、係合具６の脚部２３，２３は収容部１１の収容室１１ａでは、カートリッジ３のフランジ部１３ｂの上部で筒部１３ａの外周側に配置され、カートリッジ３は水栓本体２の収容室１１で係合具６の弾性力により、上部から下向きに押さえつけられ、水栓本体２から上部に抜けたり、上部に浮き上がることで漏水が発生することがないようにしている。
【００１５】
前記カバー７は略円筒状で、カートリッジ３と係合具６とを覆い隠すことができ、かつ係合具６が収容部１１の係合孔１２から外れることがないようにするものであり、水栓本体２の上部に装着させることができる。
【００１６】
このような水栓Ａにおいて、カートリッジ３を水栓本体２の収容部１１に固定するには、まずカートリッジ３を水栓本体２の収容部１１に上部から装着する。
【００１７】
次に係合具６を水栓本体２の側面から係合孔１２に差し込む。この時、係合具６の両脚部２３，２３は、収容部１１の収容室１１ａでフランジ部１３ａの上部に弾力的に密着し、カートリッジ３は水栓本体２の収容室１１ａで係合具６により、上部から下向きに押さえつけられ、水栓本体２から上部に抜けたり、上部に浮き上がることがない。
【００１８】
そして、カートリッジ３の上部からカバー７を水栓本体２に固定すれば、カバー７により係合具６及びカートリッジ３を覆い隠し、かつ係合具６が係合孔１２から外れないようにすることができる。
【００１９】
次に弁機構４の点検又は交換等を行なうため、水栓本体２の収容部１１からカートリッジ３を取り出すには、カバー７を水栓本体２から取り外した後に、係合具６の基部２２を摘んで引っ張れば、脚部２３，２３はカートリッジ３のフランジ部１３ａから水平方向に移動し、係合具６によるカートリッジ３の水栓本体２への固定が解除されるため、カートリッジ３を収容部１１から上部へ移動させれば水栓本体２から取り出すことができる。
【００２０】
以上のように、カートリッジは係合具によりワンタッチで水栓本体の収容部に固定したり、水栓本体から取り出すことができ、カートリッジの水栓本体への固定に工具を使用しないでもよく、作業性が良好であるうえ、カートリッジを水栓本体から取り出す際に、水栓本体に回転方向の力が加わることがなく、カウンターに固定された水栓本体の共回りを防止することができる。
【００２１】
図３及び図４は別の実施例による水栓であり、この実施例ではカートリッジ３の下ケース１４ａは底面外周に環状の傾斜面１４ｂが形成されている。該傾斜面１４ｂは水栓本体２の収容部１１に差し込まれた係合具６の脚部２３，２３を押し広げることのできるものである。この実施例の場合、係合具６を収容部１１の係合孔１２に差し込んだ状態で、カートリッジ３を収容部１１の収容室１１ａに収容すると、カートリッジ３の底面に形成された傾斜面１４ｂが，係合具６の脚部２３，２３を弾力的に押し開き、該脚部２３，２３はカートリッジ３の外周を通過してフランジ部１３ａの上面に密着される。
【００２２】
この実施例では、予め係合具６を収容部１１の係合孔１２に差し込んだ状態で、カートリッジ３を水栓本体２の収容部１１に収容すれば、係合具６の脚部２３，２３はカートリッジ３のフランジ部１３ａに達し、カートリッジ３を水栓本体２に固定することができる。なお、その他の構成は前記実施例と同一であるので、同一の物品には同一の記号を付し、その詳細な説明を省略する。
【００２３】
なお、本発明の各実施例ではシングルレバー式の水栓について説明したが、水栓は例えば２ハンドル式で、水用カートリッジと湯用カートリッジとを備え、各カートリッジにより水又は湯の流量をそれぞれ調節するもの、単水栓でカートリッジで水の流量を調節するものでもよい。
【００２４】
【発明の効果】
本発明によると、弁機構が収容されたカートリッジを水栓本体へ固定するには、係合具を水栓本体の収容部に穿設された係合孔に差し込むだけでよく、ワンタッチで容易にカートリッジの固定が可能で、従来のカートリッジの固定構造と比較して作業性が大幅に向上する。
【００２５】
また、カートリッジ及び係合具はカバーにより覆われるので外部に露出せず、美観を損なうことがない。
【００２６】
従来の水栓におけるカートリッジの固定構造では、カートリッジを水栓本体から取り出す際に、カートリッジを水栓本体に固定しているナットを緩める必要があり、この時に水栓が固定部材によりカウンターに固定されていると、水栓も共回りする恐れがあったが、本発明ではナットを水栓本体に螺合するものではないので、水栓本体の共回りを防止することができる。
【図面の簡単な説明】
【図１】本発明の水栓をカウンターに取り付けた状態の分解斜視図である。
【図２】本発明の水栓をカウンターに取り付けた状態の側断面図である。
【図３】別の実施例による水栓の分解斜視図である。
【図４】図３の水栓をカウンターに取り付けた状態の側断面図である。
【符号の説明】
１                カウンター
２                水栓本体
３                カートリッジ
４                弁機構
７                カバー
１１              収容部
１２              係合孔
Ａ                水栓
【図１】
2004251050.tif 000003
【図２】
2004251050.tif 000004
【図３】
2004251050.tif 000005
【図４】
2004251050.tif 000006